(57)【要約】【課題】収容庫の内部の温度分布や風速分布の均一化を図ることにより、冷却装置の運転負荷軽減による省エネルギー化を図ることができる冷凍冷蔵装置を提供すること。【解決手段】プレハブ倉庫２ａの前面開口２ａ１を臨む前方収納庫４と、後面開口２ａ２を臨む後方収納庫５と、前方流出口７ａを通じて前方収納庫４に空気を流出させ、かつ後方流出口８ａを通じて後方収納庫５に空気を流出させるよう前方収納庫４と後方収納庫５とに挟まれた収容庫６とを備え、収容庫６における前方流出口７ａよりも後方側に配設され、空気を冷却し前方流出口７ａでの空気の流出方向と反対方向に向けて送出する前方クーリングコイル６３ａと、後方流出口８ａよりも前方側であって前方クーリングコイル６３ａよりも後方側に配設され、空気を冷却し後方流出口８ａでの空気の流出方向と反対方向に送出する後方クーリングコイル６３ｂとを備えている。【選択図】図１
2010210219.tif 000002
【特許請求の範囲】
【請求項１】
筐体である装置本体の内部において該装置本体の前面に形成された開口を臨む態様で構成され、商品を陳列収納するための前方収納庫と、
前記装置本体の内部において該装置本体の後面に形成された開口を臨む態様で構成され、商品を陳列収納するための後方収納庫と、
前記装置本体の内部において床部近傍に配設された前方流入口を通じて前記前方収納庫より空気を流入する一方、天井部近傍に配設された前方流出口を通じて該前方収納庫に向けて空気を流出させ、かつ床部近傍に配設された後方流入口を通じて前記後方収納庫より空気を流入する一方、天井部近傍に配設された後方流出口を通じて該後方収納庫に向けて空気を流出させる態様で、前記前方収納庫と前記後方収納庫とに挟まれて構成され、該前方収納庫及び該後方収納庫に搬送する商品を一時的に収容する収容庫と
を備えた冷凍冷蔵装置において、
前記収容庫の天井における前記前方流出口よりも後方側となる個所に配設され、供給された空気を冷却し、前記前方流出口における空気の流出方向と反対方向に向けて冷却した空気を送出する前方冷却装置と、
前記天井における前記後方流出口よりも前方側であって前記前方冷却装置よりも後方側となる個所に配設され、供給された空気を冷却し、前記後方流出口における空気の流出方向と反対方向に向けて冷却した空気を送出する後方冷却装置と
を備えたことを特徴とする冷凍冷蔵装置。
【請求項２】
前記前方冷却装置は、冷却した空気を後方に向けて送出するものであり、前記後方冷却装置は、冷却した空気を前方に向けて送出するものであることを特徴とする請求項１に記載の冷凍冷蔵装置。
【発明の詳細な説明】
【技術分野】
【０００１】
本発明は、冷凍冷蔵装置に関し、より詳細には、例えば物流センターや配送センター等に構築される冷凍冷蔵ピッキングシステムに適用される冷凍冷蔵装置に関するものである。
【背景技術】
【０００２】
例えば物流センターや配送センター等に構築されるピッキングシステムは、冷凍冷蔵装置と、冷凍冷蔵装置から取り出された商品を搬送する搬送装置とを備えて構成されているのが一般的である。
【０００３】
冷凍冷蔵装置は、配送センターの建屋の内部に構築された装置本体であるプレハブ倉庫を備えており、プレハブ断熱材で構成されている。この冷凍冷蔵装置は、前面に形成された開口を臨む態様で構成された収納庫と、この収納庫の後方側に隣接する態様で構成された収容庫とを備えている。
【０００４】
収納庫の内部には、前面開口を臨むように複数の棚装置が配設されている。棚装置は、商品載置棚が上下方向に沿って複数段に並べて構成されており、これら商品載置棚の先端部には、配送対象となる商品の保管位置を示すとともにピッキング数を示すための表示器が配設されている。
【０００５】
最上段の商品載置棚の上方域には、前後方向に延在する上部ダクトが構成されているとともに、最下段の商品載置棚の下方域には、前後方向に延在する下部ダクトが構成されている。上部ダクトは、後方側が流出口を通じて収容庫に連通されているとともに、前方側が吹出口に連通されている。吹出口は、装置本体の前面開口近傍の上部前方縁部に形成されており、下方に向けて空気を吹き出すための開口である。この上部ダクトの内部には、蒸発器及び送風ファンが設置されている。蒸発器は通過する空気を冷却するものであり、送風ファンは、通過する空気を吹出口より吹き出させるものである。下部ダクトは、後方側が流入口を通じて収容庫に連通されているとともに、前方側が吸込口に連通されている。吸込口は、装置本体の前面開口近傍の下部前方縁部に形成されており、空気を吸い込むための開口である。この下部ダクトの内部には、吸気ファンが設置されている。吸気ファンは、吸込口を通じて吸い込んだ空気を、流入口を通じて収容庫に送り出すものである。
【０００６】
収容庫は、収納庫に搬送される商品を一時的に収容するものであり、その内部には、商品を搬入するための商品搬入コンベア、搬入した商品を一時保管する商品一時保管棚、商品一時保管棚から収納庫に商品を投入する商品投入搬送装置が設置されている。また、収容庫の天井には、流出口よりも後方となる個所にクーリングコイル等の冷却装置が据え付けられている。クーリングコイルは、供給された空気を冷却して送出するものであり、収容庫内部を冷却しているが、最適な配設方向については明確になっていなかった。
【０００７】
そのような構成の冷凍冷蔵装置において、各種ファン及びクーリングコイルが稼働すると、上部ダクトを通過する空気は、吹出口より吹き出されて冷凍冷蔵装置の前面開口にエアカーテンを形成し、エアカーテンを形成した空気は、吸込口より吸い込まれる。吸込口より吸い込まれた空気は、下部ダクトを通過した後に流入口を通じて収容庫に至る。収容庫に至ると、クーリングコイルで冷却されて送出された空気と混合し、流出口を通じて上部ダクトに至り、上述した循環を繰り返すことにより冷凍冷蔵装置の内部が所望の温度に保冷される（例えば、特許文献１参照）。
【先行技術文献】
【特許文献】
【０００８】
【特許文献１】特開２００６−９０６１９号公報
【発明の概要】
【発明が解決しようとする課題】
【０００９】
ところで、上述したような冷凍冷蔵装置においては、冷却装置（クーリングコイル）の設置個数については求められる冷却能力に応じて決められるが、冷却装置の配置による温度分布や風速分布の影響については特に考えられていなかった。そのため収容庫の内部における温度分布や風速分布のバラツキが大きくなる虞れがあった。このように温度分布や風速分布が大きいと、冷却装置自身が高負荷運転となっており、省エネルギー化を図ることが困難であった。
【００１０】
本発明は、上記実情に鑑みて、収容庫の内部の温度分布や風速分布の均一化を図ることにより、冷却装置の運転負荷軽減による省エネルギー化を図ることができる冷凍冷蔵装置を提供することを目的とする。
【課題を解決するための手段】
【００１１】
上記目的を達成するために、本発明の請求項１に係る冷凍冷蔵装置は、筐体である装置本体の内部において該装置本体の前面に形成された開口を臨む態様で構成され、商品を陳列収納するための前方収納庫と、前記装置本体の内部において該装置本体の後面に形成された開口を臨む態様で構成され、商品を陳列収納するための後方収納庫と、前記装置本体の内部において床部近傍に配設された前方流入口を通じて前記前方収納庫より空気を流入する一方、天井部近傍に配設された前方流出口を通じて該前方収納庫に向けて空気を流出させ、かつ床部近傍に配設された後方流入口を通じて前記後方収納庫より空気を流入する一方、天井部近傍に配設された後方流出口を通じて該後方収納庫に向けて空気を流出させる態様で、前記前方収納庫と前記後方収納庫とに挟まれて構成され、該前方収納庫及び該後方収納庫に搬送する商品を一時的に収容する収容庫とを備えた冷凍冷蔵装置において、前記収容庫の天井における前記前方流出口よりも後方側となる個所に配設され、供給された空気を冷却し、前記前方流出口における空気の流出方向と反対方向に向けて冷却した空気を送出する前方冷却装置と、前記天井における前記後方流出口よりも前方側であって前記前方冷却装置よりも後方側となる個所に配設され、供給された空気を冷却し、前記後方流出口における空気の流出方向と反対方向に向けて冷却した空気を送出する後方冷却装置とを備えたことを特徴とする。
【００１２】
また、本発明の請求項２に係る冷凍冷蔵装置は、上述した請求項１において、前記前方冷却装置は、冷却した空気を後方に向けて送出するものであり、前記後方冷却装置は、冷却した空気を前方に向けて送出するものであることを特徴とする。
【発明の効果】
【００１３】
本発明によれば、収容庫の天井における前方流出口よりも後方側となる個所に配設された前方装置が、供給された空気を冷却し、前方流出口における空気の流出方向と反対方向に向けて冷却した空気を送出し、かつ天井における後方流出口よりも前方側であって前方冷却装置よりも後方側となる個所に配設された後方冷却装置が、供給された空気を冷却し、後方流出口における空気の流出方向と反対方向に向けて冷却した空気を送出するので、収容庫の内部においては、前方冷却装置で冷却された空気と、後方冷却装置で冷却された空気とが衝突して分散し、分散した空気が前方流入口より流入された空気、並びに後方流入口より流入された空気と衝突して更に分散する結果、温度分布や風速分布のバラツキを抑制して均一なものすることができる。このように収容庫の内部における温度分布や風速分布の均一化を図ることができることにより、収容庫の内部における冷却促進及び商品品質の向上を図ることができ、前方冷却装置及び後方冷却装置の運転負荷を低減させることができる。従って、収容庫の内部の温度分布や風速分布の均一化を図ることにより、冷却装置の運転負荷軽減による省エネルギー化を図ることができるという効果を奏する。
【図面の簡単な説明】
【００１４】
【図１】図１は、本発明の実施の形態である冷凍冷蔵装置が適用された冷凍冷蔵ピッキングシステムを模式的に示すものであり、一部を断面で示した模式図である。
【図２】図２は、図１に示した冷凍冷蔵装置を示す断面側面図である。
【図３】図３は、本発明の実施の形態である冷凍冷蔵装置を側方から見た場合を示す模式図である。
【図４】図４は、図３に示した冷凍冷蔵装置を上方から見た場合を示す模式図である。
【図５】図５は、一の比較例である冷凍冷蔵装置を側方から見た場合を示す模式図である。
【図６】図６は、図５に示した冷凍冷蔵装置を上方から見た場合を示す模式図である。
【図７】図７は、他の比較例である冷凍冷蔵装置を側方から見た場合を示す模式図である。
【図８】図８は、図７に示した冷凍冷蔵装置を上方から見た場合を示す模式図である。
【発明を実施するための形態】
【００１５】
以下に添付図面を参照して、本発明に係る冷凍冷蔵装置の好適な実施の形態について詳細に説明する。
【００１６】
図１は、本発明の実施の形態である冷凍冷蔵装置が適用された冷凍冷蔵ピッキングシステムを模式的に示すものであり、一部を断面で示した模式図である。ここで例示する冷凍冷蔵ピッキングシステムは、配送センターの建屋１の内部に構築されており、商品が陳列された冷凍冷蔵装置２と、積載された商品を搬送するセンターコンベア３とにより構成してあり、冷凍冷蔵装置２に陳列された商品は、オペレータによって取り出され、センターコンベア３に積載される。図１中の冷凍冷蔵ピッキングシステムは、センターコンベア３の両側に冷凍冷蔵装置２を配置することにより、一のセンターコンベア３を効率的に運用できるようになっている。
【００１７】
図２は、図１に示した冷凍冷蔵装置を示す断面側面図である。ここで例示する冷凍冷蔵装置２は、配送センターの建屋１の内部に構築された装置本体であるプレハブ倉庫２ａを備えており、プレハブ断熱材で構成してある。このプレハブ倉庫２ａは、前面及び後面に開口が形成してあり、内部に前方収納庫４、後方収納庫５及び収容庫６が構成してある。
【００１８】
前方収納庫４は、プレハブ倉庫２ａの前面開口２ａ１を臨む態様で構成してあり、床から天井までの高さが例えば２メートル５０センチメートル程度であり、前面が開口し、商品を陳列する陳列・ピッキング部４１の設置を可能にしている。
【００１９】
前方収納庫４には、図２に示すように、複数台の陳列・ピッキング部４１が横並びとなる態様で設置してある。陳列・ピッキング部４１は、商品を保管するピッキング用棚装置であって、前面及び後面が開口している。
【００２０】
陳列・ピッキング部４１には、上下方向に沿って複数段の商品載置棚４２が架設してある。商品載置棚４２は、後方から前方に向けて漸次低くなる態様で傾斜して架設してある。このような商品載置棚４２には、図示せぬローラ部材が回転可能に設けられており、後方側より投入された商品を転動又は滑走させて前方に搬送させ、前方から後方に向けて投入された商品を順次収納するものである。また、商品載置棚４２は、複数種類の商品の収納が可能であって、その前端部には、商品種類に対応してＬＥＤ表示パネル４３が立設してある。
【００２１】
また、最上段となる商品載置棚４２の上方となる前方収納庫４の天井部には、後方から前方に延在する上部ダクト４５が配設してある。上部ダクト４５は、冷凍冷蔵装置２の前面開口２ａ１に低温のエアカーテンを生成するためのものであり、後方側が前方流出口７ａを通じて収容庫６に連通している。この上部ダクト４５における後方側には送風ファン４６が配設してある。送風ファン４６は、陳列・ピッキング部４１の後方、すなわち冷凍冷蔵装置２の収容庫６から空気を導入するものである。
【００２２】
上部ダクト４５の内部は、上下に仕切られ、下側がインナーダクト４７を構成し、上側がミドルダクト４８を構成するようになっている。そして、上部ダクト４５に導入された空気は、インナーダクト４７とミドルダクト４８に分配される。
【００２３】
インナーダクト４７は、分配された空気を冷却し、冷凍冷蔵装置２の前面開口２ａ１内側に低温（例えば摂氏−３０℃）のエアカーテンを生成するためのもので、インナーダクト４７の内部には、蒸発器４７１が設置してあり、前方流出口７ａを通じて収容庫６から流出することにより導入されて分配された空気は、蒸発器４７１の周囲を通過する際に摂氏−３０℃程度まで冷却されることになる。
【００２４】
インナーダクト４７は、冷凍冷蔵装置２の前面開口２ａ１内側において前端が下方に向かって開口している。この前端開口（吹出口）には、冷気吐出口を構成するハニカム４７２が取り付けてあり、ハニカム４７２を通過した空気は整流され、下方に向かって流れることになる。
【００２５】
ミドルダクト４８は、分配された空気を冷凍冷蔵装置２の前面開口２ａ１内側であって、インナーダクト４７が生成するエアカーテンよりも外側に低温（例えば摂氏−２５℃）のエアカーテンを生成するためのものであり、インナーダクト４７の外側であって、冷凍冷蔵装置２の前面開口２ａ１内側において前端が下方に向かって開口している。この前端開口（吹出口）には、冷気吐出口を構成するハニカム４８１が取り付けてあり、ハニカム４８１を通過した空気は整流され、下方に向かって流れることになる。
【００２６】
また、前方収納庫４の天井前縁には、下方に延在するアウターダクト４９が配設してある。アウターダクト４９は、冷凍冷蔵装置２の前面開口２ａ１外側に室温のエアカーテンを生成するものであり、上方端と下方端とが開口している。この上方端開口の近傍には、アウターファン４９１が配設してある。このアウターファン４９１は、稼働させると配送センターの建屋１から空気を導入するものである。また、下方端開口（吹出口）には、空気吐出口を構成するハニカム４９２が取り付けてあり、ハニカム４９２を通過した空気は整流され、下方に向かって流れることになる。
【００２７】
最下段となる商品載置棚４２の前方にリターングリル（吸込口）５０が形成される態様で、フロントパネル５１が床に立設してある。リターングリル５０は、インナーダクト４７の前端開口及びミドルダクト４８の前端開口と対向するように形成され、インナーダクト４７の前端開口及びミドルダクト４８の前端開口から供給され、冷凍冷蔵装置２の前面開口２ａ１にエアカーテンを生成した空気を回収するものである。
【００２８】
また、最下段となる商品載置棚４２の下方には、前方収納庫４の床を利用した下部ダクト５２が構成してある。下部ダクト５２は、後方側が前方流入口７ｂを通じて収容庫６に連通してあるとともに、前方側がリターングリル５０に連通してある。このような下部ダクト５２の内部には、吸気ファン５３が傾斜する態様で取り付けてあり、リターングリル５０から回収された空気を前方収納庫４から収容庫６に送出する構成を採用している。
【００２９】
次に後方収納庫５について説明する。後方収納庫５については前方収納庫４のように詳細な構成を図示していないが、図１に示すように前方収納庫４とは前後方向が異なるだけでその基本構成は同じである。そのため、図示は省略するとともに、前方収納庫と同様の構成を有するものには同一の符号を付すことにする。
【００３０】
後方収納庫５は、プレハブ倉庫２ａの後面開口２ａ２を臨む態様で構成してあり、床から天井までの高さが例えば２メートル５０センチメートル程度であり、後面が開口し、商品を陳列する陳列・ピッキング部４１の設置を可能にしている。
【００３１】
後方収納庫５には、図１に示すように、複数台の陳列・ピッキング部４１が横並びとなる態様で設置してある。陳列・ピッキング部４１は、商品を保管するピッキング用棚装置であって、前面及び後面が開口している。
【００３２】
陳列・ピッキング部４１には、上下方向に沿って複数段の商品載置棚４２が架設してある。商品載置棚４２は、前方から後方に向けて漸次低くなる態様で傾斜して架設してある。このような商品載置棚４２には、図示せぬローラ部材が回転可能に儲けられており、前方側より投入された商品を転動又は滑走させて後方に搬送させ、後方から前方に向けて投入された商品を順次収納するものである。また、商品載置棚４２は、複数種類の商品の収納が可能であって、その後端部には、商品種類に対応してＬＥＤ表示パネル４３が立設してある。
【００３３】
また、最上段となる商品載置棚４２の上方となる後方収納庫５の天井部には、前方から後方に延在する上部ダクト４５が配設してある。上部ダクト４５は、冷凍冷蔵装置２の後面開口２ａ２に低温のエアカーテンを生成するためのものであり、前方側が後方流出口８ａを通じて収容庫６に連通している。この上部ダクト４５における前方側には送風ファン４６が配設してある。送風ファン４６は、陳列・ピッキング部４１の前方、すなわち冷凍冷蔵装置２の収容庫６から空気を導入するものである。
【００３４】
上部ダクト４５の内部は、上下に仕切られ、下側がインナーダクト４７を構成し、上側がミドルダクト４８を構成するようになっている。そして、上部ダクト４５に導入された空気は、インナーダクト４７とミドルダクト４８に分配される。
【００３５】
インナーダクト４７は、分配された空気を冷却し、冷凍冷蔵装置２の後面開口２ａ２内側に低温（例えば摂氏−３０℃）のエアカーテンを生成するためのもので、インナーダクト４７の内部には、蒸発器４７１が設置してあり、後方流出口８ａを通じて収容庫６から流出することにより導入されて分配された空気は、蒸発器４７１の周囲を通過する際に摂氏−３０℃程度まで冷却されることになる。
【００３６】
インナーダクト４７は、冷凍冷蔵装置２の後面開口２ａ２内側において後端が下方に向かって開口している。この後端開口（吹出口）には、冷気吐出口を構成するハニカム４７２が取り付けてあり、ハニカム４７２を通過した空気は整流され、下方に向かって流れることになる。
【００３７】
ミドルダクト４８は、分配された空気を冷凍冷蔵装置２の後面開口２ａ２内側であって、インナーダクト４７が生成するエアカーテンよりも外側に低温（例えば摂氏−２５℃）のエアカーテンを生成するためのものであり、インナーダクト４７の外側であって、冷凍冷蔵装置２の後面開口２ａ２内側において後端が下方に向かって開口している。この後端開口（吹出口）には、冷気吐出口を構成するハニカム４８１が取り付けてあり、ハニカム４８１を通過した空気は整流され、下方に向かって流れることになる。
【００３８】
また、後方収納庫５の天井後縁には、下方に延在するアウターダクト４９が配設してある。アウターダクト４９は、冷凍冷蔵装置２の後面開口２ａ２外側に室温のエアカーテンを生成するものであり、上方端と下方端とが開口している。この上方端開口の近傍には、アウターファン４９１が配設してある。このアウターファン４９１は、稼働させると配送センターの建屋１から空気を導入するものである。また、下方端開口（吹出口）には、空気吐出口を構成するハニカム４９２が取り付けてあり、ハニカム４９２を通過した空気は整流され、下方に向かって流れることになる。
【００３９】
最下段となる商品載置棚４２の後方にリターングリル（吸込口）５０が形成される態様で、フロントパネル５１が床に立設してある。リターングリル５０は、インナーダクト４７の後端開口及びミドルダクト４８の後端開口と対向するように形成され、インナーダクト４７の後端開口及びミドルダクト４８の後端開口から供給され、冷凍冷蔵装置２の後面開口２ａ２にエアカーテンを生成した空気を回収するものである。
【００４０】
また、最下段となる商品載置棚４２の下方には、後方収納庫５の床を利用した下部ダクト５２が構成してある。下部ダクト５２は、前方側が後方流入口８ｂを通じて収容庫６に連通してあるとともに、後方側がリターングリル５０に連通してある。このような下部ダクト５２の内部には、吸気ファン５３が傾斜する態様で取り付けてあり、リターングリル５０から回収された空気を後方収納庫５から収容庫６に送出する構成を採用している。
【００４１】
収容庫６は、プレハブ倉庫２ａの内部において前方収納庫４と後方収納庫５とに挟まれて構成してある。この収容庫６は、床から天井までの高さが例えば３メートル５０センチメートル程度であり、大型の設備機械（例えば、後述する商品投入搬送装置）の設置を可能にしている。
【００４２】
そして、前方収納庫４及び後方収納庫５のそれぞれの天井と収容庫６の天井との間に生じる隙間は、垂直な壁体２１で塞がれ、該壁体２１は、前方収納庫４及び後方収納庫５と、収容庫６との間の段差を形成している。
【００４３】
収容庫６の床には、図１に示すように、前方から後方に延在する前方側下部ダクト６１ａ、並びに後方から前方に延在する後方側下部ダクト６１ｂが配設してある。
【００４４】
前方側下部ダクト６１ａは、リターングリル５０から回収され、下部ダクト５２を通過して前方流入口７ｂより流入した空気を収容庫６に循環させるためのものであり、前端が前方流入口７ｂに連通し、後端は収容庫６の中央部近傍まで延在して開口している。また、前方側下部ダクト６１ａの出口近傍となる内部には、循環ファン６２ａが配設してある。循環ファン６２ａは、最下段となる商品載置棚４２と前方収納庫４との間から送出された空気を吸い込んで循環させるものである。
【００４５】
後方側下部ダクト６１ｂは、リターングリル５０から回収され、下部ダクト５２を通過して後方流入口８ｂより流入した空気を収容庫６に循環させるためのものであり、後端が後方流入口８ｂに連通し、前端は収容庫６の中央部近傍まで延在して開口している。また、後方側下部ダクト６１ｂの出口近傍となる内部には、循環ファン６２ｂが配設してある。循環ファン６２ｂは、最下段となる商品載置棚４２と後方収納庫５との間から送出された空気を吸い込んで循環させるものである。
【００４６】
このような収容庫６には、冷凍冷蔵装置２に商品を搬入するための商品搬入コンベア６４ａ，６４ｂ、搬入した商品を一時保管する商品一時保管棚（図示せず））、商品一時保管棚から上述した陳列・ピッキング部４１に商品を投入する商品投入搬送装置６６ａ，６６ｂが設置してある。
【００４７】
また、収容庫６の天井には、複数台の冷却装置であるクーリングコイル６３ａ，６３ｂが据え付けてある。より詳細に説明すると、図１及び図２に示すように、前方流出口７ａよりも後方側となる収容庫６の天井には、前方クーリングコイル６３ａが据え付けてある。前方クーリングコイル６３ａは、供給された空気を摂氏−２５℃程度にまで冷却して送出するものであり、図３及び図４に示すように前方流出口７ａにおける空気の流出方向と反対方向、すなわち後方に向けて冷却した空気を送出するものである。また、収容庫６の天井における後方流出口８ａよりも前方側であって前方クーリングコイル６３ａよりも後方側となる個所には、後方クーリングコイル６３ｂが据え付けてある。後方クーリングコイル６３ｂは、供給された空気を−２５℃程度にまで冷却して送出するものであり、図３及び図４に示すように後方流出口８ａにおける空気の流出方向と反対方向、すなわち前方に向けて冷却した空気を送出するものである。
【００４８】
以上のような構成を有する冷凍冷蔵装置２においては、送風ファン４６、吸気ファン５３、循環ファン６２ａ，６２ｂ、アウターファン４９１、前方クーリングコイル６３ａ、後方クーリングコイル６３ｂを稼働すると、次のようになる。
【００４９】
すなわち、前方クーリングコイル６３ａ及び後方クーリングコイル６３ｂにて−２５℃程度にまで冷却された空気のうち一部は、前方収納庫４と収容庫６との間に設けられた垂直な壁体２１に衝突することにより拡散され、送風ファン４６に空気が均等に供給される。
【００５０】
送風ファン４６に供給された空気は、インナーダクト４７とミドルダクト４８とに分配される。インナーダクト４７に分配された空気は、蒸発器４７１の周囲を通過する際に摂氏−３０℃程度まで冷却され、前端開口からリターングリル５０に向けて流れることにより、冷凍冷蔵装置２の前面開口２ａ１内側に摂氏−３０℃程度のエアカーテンを生成する。一方、ミドルダクト４８に分配された空気は、前端開口からリターングリル５０に向けて流れることにより、インナーダクト４７が生成するエアカーテンよりも外側に摂氏−２５℃程度のエアカーテンを生成する。
【００５１】
一方、アウターファン４９１を稼働することにより、配送センターの建屋１から導入された空気は、上述したエアカーテンに沿って流れ、エアカーテンを生成する空気の乱れを抑制する。
【００５２】
他方、リターングリル５０から回収された空気は、吸気ファン５３及び循環ファン６２ａによって、後方に送出され、収容庫６に至る。そして、再び前方クーリングコイル６３ａ及び後方クーリングコイル６３ｂに供給される。このように循環され、前方クーリングコイル６３ａ、後方クーリングコイル６３ｂ、蒸発器４７１によって冷却された空気は、冷凍冷蔵装置２における前方収納庫４及び収容庫６の内部を冷却する。
【００５３】
また、前方クーリングコイル６３ａ及び後方クーリングコイル６３ｂにて−２５℃程度にまで冷却された空気のうち一部は、後方収納庫５と収容庫６との間に設けられた垂直な壁体２１に衝突することにより拡散され、送風ファン４６に空気が均等に供給される。
【００５４】
送風ファン４６に供給された空気は、インナーダクト４７とミドルダクト４８とに分配される。インナーダクト４７に分配された空気は、蒸発器４７１の周囲を通過する際に摂氏−３０℃程度まで冷却され、後端開口からリターングリル５０に向けて流れることにより、冷凍冷蔵装置２の後面開口２ａ２内側に摂氏−３０℃程度のエアカーテンを生成する。一方、ミドルダクト４８に分配された空気は、後端開口からリターングリル５０に向けて流れることにより、インナーダクト４７が生成するエアカーテンよりも外側に摂氏−２５℃程度のエアカーテンを生成する。
【００５５】
一方、アウターファン４９１を稼働することにより、配送センターの建屋１から導入された空気は、上述したエアカーテンに沿って流れ、エアカーテンを生成する空気の乱れを抑制する。
【００５６】
他方、リターングリル５０から回収された空気は、吸気ファン５３及び循環ファン６２ｂによって、前方に送出され、収容庫６に至る。そして、再び前方クーリングコイル６３ａ及び後方クーリングコイル６３ｂに供給される。このように循環され、前方クーリングコイル６３ａ、後方クーリングコイル６３ｂ、蒸発器４７１によって冷却された空気は、冷凍冷蔵装置２における後方収納庫５及び収容庫６の内部を冷却する。
【００５７】
本実施の形態である冷凍冷蔵装置２においては、前方クーリングコイル６３ａが前方流出口７ａにおける空気の流出方向と反対方向に向けて冷却した空気を送出するとともに、後方クーリングコイル６３ｂが後方流出口８ａにおける空気の流出方向と反対方向に向けて冷却した空気を送出するので、収容庫６の内部においては、前方クーリングコイル６３ａで冷却された空気と、後方クーリングコイル６３ｂで冷却された空気とが衝突して分散し、分散した空気が前方流入口７ｂより流入された空気、並びに後方流入口８ｂより流入された空気と衝突して更に分散する結果、温度分布や風速分布のバラツキを抑制して均一なものすることができる。
【００５８】
このように収容庫６の内部における温度分布や風速分布の均一化を図ることができることにより、収容庫６の内部における冷却促進及び商品品質の向上を図ることができ、前方クーリングコイル６３ａ及び後方クーリングコイル６３ｂの運転負荷を低減させることができる。従って、収容庫６の内部の温度分布や風速分布の均一化を図ることにより、冷却装置の運転負荷軽減による省エネルギー化を図ることができる。
【００５９】
図５及び図６、並びに図７及び図８は、それぞれ本実施の形態の冷凍冷蔵装置との比較例を示すもので、図５は、一の比較例である冷凍冷蔵装置を側方から見た場合を示す模式図、図６は、図５に示した冷凍冷蔵装置を上方から見た場合を示す模式図、図７は、他の比較例である冷凍冷蔵装置を側方から見た場合を示す模式図、図８は、図７に示した冷凍冷蔵装置を上方から見た場合を示す模式図である。尚、図５〜図８において、本発明の実施の形態である冷凍冷蔵装置と同一の構成を有するものには同一の符号を付してその説明を省略する。
【００６０】
図５及び図６に示す一の比較例である冷凍冷蔵装置では、前方クーリングコイル７３ａは、供給された空気を摂氏−２５℃程度にまで冷却して送出するものであり、前方流出口７ａにおける空気の流出方向、すなわち前方に向けて冷却した空気を送出するものである。また、後方クーリングコイル７３ｂは、供給された空気を摂氏−２５℃程度にまで冷却して送出するものであり、後方流出口８ａにおける空気の流出方向、すなわち後方に向けて冷却した空気を送出するものである。
【００６１】
図７及び図８に示す他の比較例である冷凍冷蔵装置では、前方クーリングコイル８３ａ及び後方クーリングコイル８３ｂは、供給された空気を摂氏−２５℃程度にまで冷却して、側方に向けて送出するものである。
【００６２】
そして、本実施の形態である冷凍冷蔵装置２、一の比較例である冷凍冷蔵装置並びに他の比較例である冷凍冷蔵装置において、それぞれの収容庫６の温度差を求めた結果、本実施の形態である冷凍冷蔵装置を「１」として比で表すと、一の比較例である冷凍冷蔵装置は「４」となり、他の比較例である冷凍冷蔵装置は「３５」となった。一の比較例である冷凍冷蔵装置では、前方クーリングコイル７３ａでの空気の送出方向と、前方流出口７ａでの空気の流出方向とが同じであることにより前方流出口７ａでの空気の流出速度が増加、並びに後方クーリングコイル７３ｂでの空気の送出方向と、後方流出口８ａでの空気の流出方向とが同じであることにより後方流出口８ａでの空気の流出速度が増加してしまうことにより、収容庫６の温度分布及び風速分布にバラツキが生じたものと考えられる。また、他の比較例である冷凍冷蔵装置では、前方クーリングコイル８３ａ及び後方クーリングコイル８３ｂでの空気の送出方向と、前方流出口７ａ及び後方流出口８ａでの空気の流出方向とが無関係であり、温度分布や風速分布に大きなバラツキが生じたものと考えられる。
【００６３】
このような検証によっても、本実施の形態の冷凍冷蔵装置２によれば、収容庫６の内部の温度分布や風速分布の均一化を図ることにより、冷却装置の運転負荷軽減による省エネルギー化を図ることができることが理解される。
【符号の説明】
【００６４】
２    冷凍冷蔵装置
３    センターコンベア
４    前方収納庫
５    後方収納庫
６    収容庫
７ａ    前方流出口
７ｂ    前方流入口
８ａ    後方流出口
８ｂ    後方流入口
４１    陳列・ピッキング部
４２    商品載置棚
４５    上部ダクト
４６    送風ファン
４７    インナーダクト
４７１  蒸発器
４８    ミドルダクト
４９    アウターダクト
４９１  アウターファン
５０    リターングリル
５２    下部ダクト
５３    吸気ファン
６３ａ  前方クーリングコイル
６３ｂ  後方クーリングコイル
【図１】
2010210219.tif 000003
【図２】
2010210219.tif 000004
【図３】
2010210219.tif 000005
【図４】
2010210219.tif 000006
【図５】
2010210219.tif 000007
【図６】
2010210219.tif 000008
【図７】
2010210219.tif 000009
【図８】
2010210219.tif 000010